(57)【要約】  【課題】  飲用者が飲み物自体をより楽しめる飲用容器を提供する。  【解決手段】  飲用者が飲み物を飲用するための飲用容器であって、飲み物を収容する収容部を含み、前記収容部は、開口端の開口の周囲部分である縁部と、閉塞端を構成する底部と、前記縁部と前記底部との間の胴部とを含み、前記縁部は、横幅及び奥行幅が１１０ｍｍ以上であり、前記飲用容器は、透明な樹脂で形成され、前記縁部は、全周に亘って外側に反るように広がる開き部を有する飲用容器。【選択図】  図１５
2020142053.tif 000002
【特許請求の範囲】
【請求項１】
飲用者が飲み物を飲用するための飲用容器であって、
飲み物を収容する収容部を含み、
前記収容部は、開口端の開口の周囲部分である縁部と、閉塞端を構成する底部と、前記縁部と前記底部との間の胴部とを含み、
前記縁部は、横幅及び奥行幅が１１０ｍｍ以上であり、
前記飲用容器は、透明な樹脂で形成され、
前記縁部は、全周に亘って外側に反るように広がる開き部を有する
ことを特徴とする飲用容器。
【請求項２】
請求項１に記載の飲用容器であって、
前記開き部は、縦断面視において円弧形状である
ことを特徴とする飲用容器。
【請求項３】
請求項１または２に記載の飲用容器であって、
前記縁部は、周方向に肉厚に盛り上がるリブを有する
ことを特徴とする飲用容器。
【請求項４】
請求項３に記載の飲用容器であって、
前記リブと前記縁部の外壁との間にＲ面が形成されている
ことを特徴とする飲用容器。
【請求項５】
請求項１〜４のいずれか一項に記載の飲用容器であって、
前記胴部は、前記縁部に近接の位置に周方向にリング状に突出するリング部を有する
ことを特徴とする飲用容器。
【請求項６】
請求項１〜５のいずれか一項に記載の飲用容器であって、
前記胴部は、水平方向に前記縁部より広い部分を有する
ことを特徴とする飲用容器。
【請求項７】
請求項６に記載の飲用容器であって、
前記開き部の下方に隣接する隣接部は、外側に反るように形成され、
前記隣接部は、縦断面視において前記開き部より曲率半径が大きい円弧形状である
ことを特徴とする飲用容器。
【請求項８】
請求項１〜７のいずれか一項に記載の飲用容器であって、
前記縁部は、平面視において丸みを有する三角形状又は四角形状であり、
前記三角形状又は四角形状の辺部の丸みの半径が、角部の丸みの半径より大きい
ことを特徴とする飲用容器。
【請求項９】
請求項８に記載の飲用容器であって、
前記胴部は、平面視において略円形状である
ことを特徴とする飲用容器。
【請求項１０】
飲用者が飲み物を飲用するための飲用容器であって、
飲み物を収容する収容部を含み、
前記収容部は、開口端の開口の周囲部分である縁部と、閉塞端を構成する底部と、前記縁部と前記底部との間の胴部とを含み、
前記飲用容器は、透明な樹脂で形成され、
前記縁部は、平面視において丸みを有する三角形状又は四角形状であり、
前記三角形状又は四角形状の辺部の丸みの半径が、角部の丸みの半径より大きい
ことを特徴とする飲用容器。
【請求項１１】
請求項１０に記載の飲用容器であって、
前記胴部は、平面視において略円形状であり、
前記縁部は、平面視において角部に丸みを有する三角形状である
ことを特徴とする飲用容器。
【請求項１２】
請求項１〜１１のいずれか一項に記載の飲用容器であって、
前記胴部は、花弁状に外側に膨らむ第１装飾部と、萼形状の第２装飾部とを有する
ことを特徴とする飲用容器。
【請求項１３】
請求項１〜１２のいずれか一項に記載の飲用容器であって、
横幅又は奥行幅が前記飲用容器の全体の高さの２分の１以上である台座部を含む
ことを特徴とする飲用容器。
【請求項１４】
請求項１〜１３のいずれか一項に記載の飲用容器であって、
前記飲用容器は、ワイン、日本酒を飲用するための容器である
ことを特徴とする飲用容器。
【発明の詳細な説明】
【技術分野】
【０００１】
本発明は、飲用容器に関する。
【背景技術】
【０００２】
例えばワインや日本酒等のお酒を注いで飲む飲用容器としてワイングラスやぐい飲み等が古くから使われている。また、お酒の楽しみ方の多様化に伴って、改良された飲用容器も提案されている。
【０００３】
例えば、特に日本酒を注いで飲むのに適したワイングラスとして、「酒を注ぐことができるカップ部を備え、前記カップ部は、注がれる酒が日本酒であることを飲用者に理解させることができる酒種表示部を備え、前記酒種表示部が、前記カップ部に注がれる日本酒の量が所定の設定値となる位置に配置されていることにより、日本酒用のワイングラスであることを表示すると共に適正量の日本酒を前記カップ部に注ぐことができるように促すことができるように構成されたことを特徴とする日本酒用ワイングラス」が提案されている（特許文献１を参照）。
【０００４】
また、飲料を注いだときに写真等を浮かび上がらせるものとして、「飲み物を受入れる器本体と、前記器本体の下方に位置し、底面と該底面の周囲に立設する側面とを有する台座と、を備え、前記器本体の底部は、少なくとも一部に上面半球状のレンズを有している飲用容器」が提案されている（特許文献２を参照）。
【先行技術文献】
【特許文献】
【０００５】
【特許文献１】実用新案登録第３２０８７６０号公報
【特許文献２】特開２０１８−３８７２１号公報
【発明の概要】
【発明が解決しようとする課題】
【０００６】
しかし、上記特許文献１に記載の飲用容器は、熟練を要することなく所定量の日本酒を提供することはできるものの、日本酒自体を楽しむのに役立つものではない。
【０００７】
また、上記特許文献２に記載の飲用容器は、飲用者の興趣を呼び起こして酒席を盛り上げることはできるものの、お酒自体を楽しむのに役立つものではない。
【０００８】
本発明は、上記課題の少なくとも一つを解決するためのもので、飲用者が飲み物自体をより楽しめる飲用容器を提供することを目的とする。
【課題を解決するための手段】
【０００９】
上記課題を解決するために、本発明の一態様に係る飲用容器は、飲用者が飲み物を飲用するための飲用容器であって、飲み物を収容する収容部を含み、前記収容部は、開口端の開口の周囲部分である縁部と、閉塞端を構成する底部と、前記縁部と前記底部との間の胴部とを含み、前記縁部は、横幅及び奥行幅が１１０ｍｍ以上であり、前記飲用容器は、透明な樹脂で形成され、前記縁部は、全周に亘って外側に反るように広がる開き部を有する。
【００１０】
また、前記開き部は、縦断面視において円弧形状であってもよい。
【００１１】
また、前記縁部は、周方向に肉厚に盛り上がるリブを有してもよい。
【００１２】
また、前記リブと前記縁部の外壁との間にＲ面が形成されていてもよい。
【００１３】
また、前記胴部は、前記縁部に近接の位置に周方向にリング状に突出するリング部を有してもよい。
【００１４】
また、前記胴部は、水平方向に前記縁部より広い部分を有してもよい。
【００１５】
また、前記開き部の下方に隣接する隣接部は、外側に反るように形成され、前記隣接部は、縦断面視において前記開き部より曲率半径が大きい円弧形状であってもよい。
【００１６】
また、前記縁部は、平面視において丸みを有する三角形状又は四角形状であり、前記三角形状又は四角形状の辺部の丸みの半径が、角部の丸みの半径より大きくてもよい。
【００１７】
また、前記胴部は、平面視において略円形状であってもよい。
【００１８】
また、本発明の他の一態様に係る飲用容器は、飲用者が飲み物を飲用するための飲用容器であって、飲み物を収容する収容部を含み、前記収容部は、開口端の開口の周囲部分である縁部と、閉塞端を構成する底部と、前記縁部と前記底部との間の胴部とを含み、前記飲用容器は、透明な樹脂で形成され、前記縁部は、平面視において丸みを有する三角形状又は四角形状であり、前記三角形状又は四角形状の辺部の丸みの半径が、角部の丸みの半径より大きい。
【００１９】
また、前記胴部は、平面視において略円形状であり、前記縁部は、平面視において角部に丸みを有する三角形状であってもよい。
【００２０】
また、前記胴部は、花弁状に外側に膨らむ第１装飾部と、萼形状の第２装飾部とを有してもよい。
【００２１】
また、横幅又は奥行幅が前記飲用容器の全体の高さの２分の１以上である台座部を含んでもよい。
【００２２】
また、前記飲用容器は、ワイン、日本酒を飲用するための容器であってもよい。
【発明の効果】
【００２３】
本発明によれば、飲用者が飲み物自体をより楽しめる飲用容器を提供することができる。
【００２４】
上記した以外の課題、構成及び効果は、以下の実施形態の説明により明らかにされる。
【図面の簡単な説明】
【００２５】
【図１】本発明に係る飲用容器の一例を示す図である。
【図２】図１の飲用容器の平面図である。
【図３】図１の飲用容器の使用状態の例を示す図である。
【図４】本発明の他の一例に係る飲用容器を示す図である。
【図５】図４の飲用容器の平面図である。
【図６】図４の飲用容器の使用状態の例を示す図である。
【図７】本発明の他の一例に係る飲用容器を示す図である。
【図８】図７の飲用容器の平面図である。
【図９】本発明の他の一例に係る飲用容器を示す図である。
【図１０】図９の飲用容器の平面図である。
【図１１】本発明の他の一例に係る飲用容器を示す図である。
【図１２】図１１の飲用容器の平面図である。
【図１３】本発明の他の一例に係る飲用容器を示す図である。
【図１４】顔の寸法と関連して飲用容器の縁部の広さを示す図である。
【図１５】本発明の他の一例に係る飲用容器を示す図である。
【図１６】図１５の飲用容器の平面図である。
【図１７】図１５の飲用容器の一部拡大図である。
【図１８】図１５の飲用容器の一部変形例である。
【図１９】図１５の飲用容器の一部変形例である。
【図２０】本発明の他の一例に係る飲用容器を示す図である。
【図２１】図２０の飲用容器の底面図である。
【図２２】本発明の他の一例に係る飲用容器を示す図である。
【図２３】図２２の飲用容器の底面図である。
【図２４】本発明の他の一例に係る飲用容器を示す図である。
【図２５】図２４の飲用容器の底面図である。
【図２６】図２４の飲用容器の一部拡大図である。
【図２７】図２４の飲用容器の斜視図である。
【発明を実施するための形態】
【００２６】
以下、図面を参照して本願の飲用容器の実施形態の例を説明する。以下の説明では同様な構成については同様な符号を付してその説明を省略することがある。また、飲用容器を用いて飲用する飲み物としてワイン、日本酒等を例に説明するが、これは一例に過ぎず、本発明に係る飲み物には、ワイン、日本酒、ビール、焼酎等を含む酒類をはじめ、ジュース、果汁飲料、果汁入り清涼飲料を含む果汁飲料類、茶葉、香草（ハーブ）、花等を原料とした茶系飲料類、冷水、氷水等を含む水、ヨーグルト、牛乳等を含む乳製品飲料等も含まれる。
【００２７】
図１〜図３は本発明に係る飲用容器の一例である飲用容器１００を示す図で、図１は正面及び縦断面を示す図、図２は平面図、図３は使用状態の例を示す図である。以下では、図１に示すＸ方向を幅方向（水平方向）とし、Ｙ方向を深さ方向（上下方向、垂直方向）として説明する。
【００２８】
飲用容器１００は、飲み物を飲用するための容器で、例えばワイングラスである。飲用容器１００は、飲み物を収容する収容部１０と、飲用者の指が掛かる脚部２０と、テーブル等に載置される台座部３０とを含む。飲用容器１００は、図示のように収容部１０、脚部２０及び台座部３０が一体に形成されてもよいし、後述例のように２以上に別体に形成されてから接続されてもよい。
【００２９】
収容部１０は、一端（上端）が開口し、他端（下端）が閉塞する形状である。言い換えれば、収容部１０は、開口端と閉塞端との間の周壁部分と、閉塞端の閉塞部分とで囲まれる容器状の部分である。
【００３０】
収容部１０は、開口端の開口の周囲部分である縁部１１と、閉塞端の閉塞部分である底部１３と、縁部１１と底部１３の間の胴部１２とを含む。
【００３１】
収容部１０は、一例として、全体として、平面視略三角形状に形成される。収容部１０は、図示のように略正三角形が好ましいが、二等辺三角形や三辺が異なる三角形でもよい。収容部１０の三角形状の角部は、丸みを帯びる形状、例えば円弧状である。角部の丸みの半径ｒ１は、例えば内側で２３ｍｍ〜１００ｍｍであり、好ましくは、３０ｍｍ〜１００ｍｍである。また、三角形状の辺部は、好ましくは、丸みを帯びる形状で、丸みの半径ｒ１１が角部の丸みの半径ｒ１より大きい。辺部の丸みの半径ｒ１１は、例えば内側で１１０ｍｍ〜３００ｍｍであり、好ましくは１２０ｍｍ〜２６０ｍｍである。なお、ここでは、内側は収容部の内周側ないし内縁側を指し、外側は収容部の外周側ないし外縁側を指す。
【００３２】
収容部１０は、縁部１１における三角形状の角部１５が飲み口部（第１飲み口部）を構成し、胴部１２における角部２１が流路を構成する。より具体的には、図３に示すように、飲用容器１００を傾けると、飲み物が胴部１２の角部２１に集まり、角部２１が流路（流動溝）になる。また、縁部１１における角部１５が丸みのあるＶ字形状であるため、口の形状に対応した飲み口部となる。
【００３３】
収容部１０は、図示のように、深くなるにつれて、幅が一旦大きくなるように拡幅してから、幅が小さくなるように縮幅する形状である。言い換えれば、収容部１０は、最大外周部１２１から上、下端に向かって縮幅する形状である。拡幅幅Ｄ１は、例えば、０ｍｍ〜８０ｍｍであり、好ましくは、５ｍｍ〜７０ｍｍである。すなわち、胴部１２の最大外周部１２１と縁部１１との水平方向における距離Ｄ１が、例えば０ｍｍ〜８０ｍｍであり、好ましくは５ｍｍ〜７０ｍｍである。また、拡幅幅は、−１０ｍｍ〜０ｍｍ、すなわち、胴部より縁部が広く形成されてもよい。
【００３４】
縁部１１は、前述のように平面視において角部及び辺部に丸みを有する略三角形状である。縁部１１の横幅（三角形状の底辺の幅）Ｗ１は、飲用者の一方の目の目尻から他方の目の目尻までの間隔以上、すなわち、外眼角幅以上の大きさである。また、縁部１１の奥行幅（三角形状の垂線）Ｗ２は、飲用者の下唇の上端から上睫毛までの間隔以上の大きさである。
【００３５】
図１４は、顔の寸法と関連して飲用容器の縁部の広さを示す図である。飲用容器の縁部１１の横幅Ｗ１及び奥行幅Ｗ２は、人体の顔の寸法を考慮して設定される。例えば、産総研のウェブサイトでは、日本人の顔寸法の統計値が高齢群男性、高齢群女性、青年群女性及び青年群女性にグループ分けされて公表されている（「日本人頭部寸法データ２００１」）。これによれば、例えば、青年群男性は、頭幅Ｅ８の平均値が１６０．８ｍｍで、外眼角幅Ｅ１４の平均値が９３．６ｍｍで、形態学顔高Ｅ１６の平均値が１２１．１ｍｍである。
【００３６】
このような人体の顔寸法を勘案して、飲用容器の縁部１１の広さは以下のように設定できる。縁部１１は、一例として、横幅（最大横幅）及び奥行幅（最大奥行幅）が１１０ｍｍ以上である。例えば、縁部１１の横幅Ｗ１は、１１０ｍｍ以上で、好ましくは１１５ｍｍ〜２００ｍｍで、より好ましくは、１２０ｍｍ〜１８０ｍｍである。縁部１１の奥行幅Ｗ２は、一例として、１１０ｍｍ以上で、好ましくは１１５ｍｍ〜２００ｍｍで、より好ましくは、１２０ｍｍ〜１８０ｍｍである。
【００３７】
また、後述例のように、縁部が平面視円形である場合、その直径Ｗ５は、例えば、１２４ｍｍ〜２１０ｍｍで、好ましくは、１２５ｍｍ〜２００ｍｍである。
【００３８】
縁部１１の厚さは、ブロー成形時に、縁部から胴部にかけて肉厚が厚くなる傾向がある。ここでは、縁部１１付近の厚さが、例えば、１．５ｍｍ〜５ｍｍ、好ましくは、１．８ｍｍ〜４ｍｍとなるように、飲用容器１００の厚みを設定する。
【００３９】
胴部１２は、前述のように平面視において角部及び辺部に丸みを有する略三角形状である。胴部１２は、縁部１１より拡幅幅Ｄ１の２倍分だけ大きい横幅Ｗ３と奥行幅Ｗ４とを有する。言い換えれば、胴部１２は、水平方向に縁部１１より広い部分を有する。なお、胴部１２の平面形状は、例えば、円形や三角形状以外の多角形状でもよい。また、後述の例のように、胴部に装飾が施されてもよい。
【００４０】
底部１３は、図示のように、収容部１０の閉塞端をなし、脚部２０の上端と接合ラインＢで接合している。
【００４１】
脚部２０は、上下に延びる棒状部分で、図示のように中空のパイプ状に形成されてもよいし、中実に形成されてもよい。脚部２０は、上端が接合ラインＢで収容部１０の底部１３と接合し、下端が台座部３０に連なる。脚部２０は、下端に向かって緩やかに広がる形状でもよい。
【００４２】
脚部２０は、収容部１０と同様に、平面視略三角形状に形成されてもよいし、略円形や楕円形に形成されてもよい。脚部２０を収容部１０の三角形状に対応した三角形状に形成すれば、指の感覚だけで飲み口部である角部１５の位置が分かるようになる。
【００４３】
台座部３０は、脚部２０からフランジ状に広がる部分で、上端が脚部２０の下端と連なり、下端がテーブル等に載置される載置端となる。台座部３０は、平面視略円形のものが図示されているが、収容部１０に対応した略三角形状に形成されてもよいし、楕円形、三角形以外の多角形等他の形状に形成されてもよい。また、台座部３０は、図示のように中空に形成されてもよいし、中実に形成されてもよい。台座部３０は、飲用容器１００全体の安定度を保つため、水平方向の横幅（最大横幅）又は奥行幅（最大奥行幅）が、飲用容器１００の全体の高さ（Ｙ方向の全長）の２／５以上、より好ましくは１／２以上に形成される。
【００４４】
飲用容器１００は、縁部１１が飲用者の両目と鼻を完全に覆うほど広い面積を占めるため、飲用する際に、飲用者の飲み物に対する感触がより豊かになる。まず、飲用の際に、鼻全体が縁部の内側に位置するので、飲み物の香りが鼻の下方だけでなく、鼻の周囲に広がるので、豊富な香りに嗅覚が満たされる。次に、両目が縁部に覆われる範囲にあるので、目の前の飲み物だけに集中するようになり、飲み物が近づくにつれて飲み物の色や揺れ動く態様が目に鮮明に映り、視覚で魅了される。また、縁部の開口部が耳に近いため、飲み物の揺れ動く音や飲用者の飲み込む音が伝わりやすく、聴覚でも楽しめる。また、皮膚との接触面が大きく、肌による感触が増している。飲用容器１００は、通常の口や舌、のどによる感触に、さらにこれらの感触が加わるため、飲み物を存分に楽しむことができる。また、心の切り替えができ、ストレスの発散にもつながる。
【００４５】
また、飲用容器１００は、図３に示すように、飲み物を飲みながら内側から容器を通して外側を視ることで、ゆがんだ景色を見ながら飲むことができ、面白さを感じながら飲むことができる。
【００４６】
また、飲用容器１００は、縁部が広いため、鼻全体が覆われて、飲用容器１００中の、外部より香りの濃度が高い空気が吸われるため、より芳醇な飲み物の香りを楽しめる。
【００４７】
また、飲用容器１００は、縁部が広いので、飲み物、特に有色の飲み物（例えばワイン）を注ぐとき、目の前に広がる飲み物に気が取られやすくなる。また、縁部に対応して胴部も広く、飲み物の収容量が増えて飲用容器全体が重いため、慎重にゆっくり口まで運ばなければならず、飲む前は緊張感が高まる。一方、飲んだ後は達成感に満たされるので、心のメリハリをつけることができる。
【００４８】
さらに、例えばワイン等の場合、飲用容器１００内に充満したアルコールなどの香りによる顔の皮膚や目に対する刺激により得られる感覚からいっそうの充実感を味わうことが期待できる。
【００４９】
さらに、飲用容器１００を用いて、友達や恋人、家族間で飲み物を回し飲みすることで、親近感を高めることができる。
【００５０】
飲用容器１００は、例えば、少なくとも収容部１０が透光性を有する素材で形成され、例えばプラスチック樹脂、より好ましくは有機ガラスで形成される。有機ガラスは、透明樹脂を意味し、ポリカーボネート樹脂、ポリエステル樹脂、アクリル樹脂等が挙げられる。飲用容器１００には、例えば、トライタン（登録商標）が用いられる。飲用容器１００は、その一部または全体が色彩を有してもよい。色彩は、上記有機ガラスなどやＡＢＳ樹脂やポリプロピレン樹脂などに施されても良い。色彩は、例えば白色を用いることで赤ワインの赤色やオレンジジュースのオレンジ色が映える。一方、半透明のダーク系などの色彩とすることで、ウイスキーや、ビールの深みが増す。また、赤紫や、ピンクを用いることで、赤ワインの色味を引き出したり、透明な飲料の場合に、色移りして飲み物が一層美味しそうに映ったりする。また、完全に透明な場合よりも、汚れや傷が目立たなくなる。
【００５１】
また、このようなプラスチック素材を用いることで、飲用容器が大きく形成されても割れにくく、扱いやすいため、安心して飲み物を楽しめることができ、飲み心地がよいうえに、安心して洗浄することもできる。さらに、ガラス容器と異なり、熱伝導が少ないため、飲み物の温度が持続しやすく、結露しにくい。
【００５２】
さらに、軽量化を図ることができ、例えば、小型（縁部の広さが直径１２０ｍｍ〜１４０ｍｍ相当）の場合、１５０ｇ〜３００ｇで形成できる。大型（縁部の広さが直径１４０ｍｍ〜２００ｍｍ相当）の場合、２００ｇ〜７００ｇで成形できる。
【００５３】
飲用容器１００は、例えば射出成形やブロー成形（中空成形）で形成される。肉厚部分は、二重成形が用いられてもよい。例えば、ブロー成形で、溶融された材料をパイプ状に押し出し（パリソン）、パリソン内に圧縮エアーを吹き込んで材料を金型に押し当てて、冷却、固化させて、収容部を形成することができる。
【００５４】
なお、ブロー成形の場合、一般的に、縁部は、平面視円形であり、正面視上端が平らな形状が作りやすく、肉厚も均等にしやすい。また、後加工もしやすい。
【００５５】
また、飲用容器１００は、図示のように、収容部が全体として平面視略三角形状に形成され、全体として丸みを帯びる形状に形成される。辺部の丸みの半径Ｒ１１が角部の丸みの半径ｒ１より大きく、飲み口部（第２飲み口部）としても機能する。この第２飲み口部で飲むことにより、飲み物が唇から横に広がり、舌を通る部位や触れる味蕾の位置の違いにより、角部を飲み口部とする場合とは異なる味わいとなる。舌ないし味蕾と広く接するほうが甘みが引き立つという説もある。さらに、この場合は、三角形状の頂点付近が鼻上に被さることで、香りが集まりやすく感じやすくなるとともに、目にかかる部分が減るためアルコールなどの刺激を和らげる効果もある。
【００５６】
飲み物の種類や飲む量などに応じて、第１飲み口部と第２飲み口部を使い分けるようにしてもよい。
【００５７】
＜変形例１＞
図４〜図６は変形例１に係る飲用容器の一例である飲用容器１００ａを示す図で、図４は正面及び縦断面を示す図、図５は平面図、図６は使用状態の例を示す図である。飲用容器１００ａは、収容部１０ａと、脚部２０ａと、台座部３０ａとを含む。飲用容器１００ａは、脚部２０ａと台座部３０ａとが一体に形成され、収容部１０ａがこれらとは別体に形成される。
【００５８】
収容部１０ａは、一例として、平面視略円形状に形成される。なお、楕円形等他の形状でもよい。収容部１０ａは、図示のように、深くなるにつれて、幅が一旦大きくなるように拡幅してから、幅が小さくなるように縮幅する形状でもよい。
【００５９】
収容部１０ａは、縁部１１ａと、胴部１２ａと、底部１３ａとを含む。縁部１１ａは、飲用者の両目尻の間の間隔より広く、飲用者の下唇上端から上睫毛までの間隔より広い直径Ｗ５を有する。
【００６０】
縁部１１ａには、飲み口部１４ａが設けられる。飲み口部１４ａは、その外周の一部が外側に向かって円弧形状に膨出してなる部分である。ここでは、図５に示すように、飲み口部１４ａは、縁部１１ａにおいて径方向外側に円弧状に膨出する部分である。飲み口部１４ａの円弧形状の半径は、例えば、２０ｍｍ以上である。
【００６１】
飲み口部１４ａは、図４に示すように、正面視において、径方向に膨出（延出）して中心線Ａに対して外側へ傾斜し、胴部１２ａの縁部に隣接する部分が中心線Ａに対して内側へ傾斜するため、飲み口部１４ａは、胴部１２ａの隣接部分とで略くの字形状部分（Ｃ部）を形成する。Ｃ部は、Ｙ方向において開口端から３ｍｍ以上の長さを有する。
【００６２】
飲み口部１４ａは、複数設けられてもよい。例えば、図示のように４つの飲み口部１４ａが設けられ、回し飲みするときに、飲用者毎に異なる飲み口部１４ａを利用されてもよい。また、それぞれの飲み口部を区別しやすくするために、数字、文字、図案、色彩等の識別表示がされてもよい。
【００６３】
飲み口部１４ａは、複数設けられる場合、円弧形状の半径が、それぞれ異なってもよいし、一部が異なってよい。例えば、図示のように、４つの飲み口部１４ａの場合、異なる２種類の半径ｒ２、ｒ３を有するものとしてもよい。飲み口部１４ａの円弧形状の半径は、飲用者の唇の大きさを考慮して半径を異ならせてもよいし、飲む量を抑制するために半径を異ならせてもよいし、ビール、ワイン、日本酒等飲み物によって半径を異ならせてもよい。例えば、円弧形状の半径を、ビールでは３５ｍｍ以下とし、日本酒やワインでは３５ｍｍ以上とすれば、味わいも異なる。また、例えば炭酸飲料水や水を、飲み口部１４ａ以外の縁部部分で飲むことにより、これらの口に広がる味わいを得ることが出来る。
【００６４】
底部１３ａは、図示のように、脚部２０ａの上端と嵌め合うことで脚部２０ａと接続している。嵌め合う部分の接続をより確実にするために、接着剤などが用いられてもよい。
【００６５】
飲用容器１００ａは、縁部１１ａが広く形成されても、図６に示すように、飲み口部１４ａを有することで、唇が掛かりやすく、飲みやすくなる。また、飲み口部１４ａを設けることで、縁部１１ａの強度を高めて、成形時の縁部の撓みを抑制し、使用時の変形も減らすことができる。縁部が広ければ（広く開口していれば）、変形しやすくなるが、飲み口部１４ａにより縁部がリブ状になる事で変形防止に有効である。
【００６６】
＜変形例２＞
図７〜図８は変形例２に係る飲用容器の一例である飲用容器１００ｂを示す図で、図７は正面及び縦断面を示す図、図８は平面図である。飲用容器１００ｂは、収容部１０ｂと、脚部２０ｂと、台座部３０ｂとを含む。飲用容器１００ｂは、収容部１０ｂと脚部２０ｂとが一体に形成され、台座部３０ｂがこれらとは別体に形成されている。
【００６７】
収容部１０ｂは、縁部１１ｂと、胴部１２ｂと、底部１３ｂとを含む。縁部１１ｂは、前述飲用容器と同様に、飲用者の両目尻の間の間隔より広い横幅（最大横幅）（直径）と、飲用者の下唇上端から上睫毛までの間隔より広い奥行幅（最大奥行幅）（直径）を有する。台座部３０ｂは、飲用容器１００ｂ全体の安定度を保つため、水平方向の横幅又は奥行幅が、飲用容器１００ｂの全体の高さの１／２以上とすることが望ましい。
【００６８】
縁部１１ｂは、図８に示すように、平面視略多角形状ないし花びら形状である。図示の例では、縁部１１ｂは、角部１５ｂが６つである略六角形状である。縁部１１ｂの形状は、周方向に波をうつ波形状とも言える。縁部１１ｂは、飲み口部である角部１５ｂと、角部１５ｂ同士の間の凹部１６ｂとを含む。角部１５ｂ及び凹部１６ｂは、いずれも折れ曲がる部分が丸みを帯びる形状である。
【００６９】
また、角部１５ｂは、図７に示すように、正面視において上方に膨出している。言い換えれば、縁部１１ｂには、その外周の一部が上方に膨出してなる飲み口部が設けられている。これによって縁部１１ｂは、上下方向に波打つ形状をなしている。
【００７０】
胴部１２ｂは、平面視略円形状である。胴部１２ｂは、縁部１１ｂに隣接する部分が凹部１６ｂに対応して凹んでもよい。
【００７１】
脚部２０ｂは収容部１０ｂと一体に形成され、下端で台座部３０ｂと接続される。例えば、台座部３０ｂと脚部２０ｂの下端とがねじ止めされることで、両者が接続される。
【００７２】
飲用容器１００ｂは、縁部１１ｂを略多角形状ないし花びら形状に形成し、径方向に膨出する角部１５ｂを設けることで、角部１５ｂで飲み口部を構成することができる。また、角部１５ｂを設けることで、縁部１１ｂの強度を高めて、成形時の縁部の撓みを抑制できる。
【００７３】
＜変形例３＞
図９〜図１０は変形例３に係る飲用容器の一例である飲用容器１００ｃを示す図で、図９は正面及び縦断面を示す図、図１０は平面図である。飲用容器１００ｃは、収容部１０ｃと、取っ手４０ｃとを含む。飲用容器１００ｃは、例えばぐい飲みである。
【００７４】
収容部１０ｃは、縁部１１ｃと、胴部１２ｃと、底部１３ｃとを含む。縁部１１ｃは、前述飲用容器と同様に、飲用者の両目尻の間の間隔より広い横幅（最大横幅）（直径）と、飲用者の下唇上端から上睫毛までの間隔より広い奥行幅（最大奥行幅）（直径）を有する。
【００７５】
収容部１０ｃは、一例として、平面視略円形状に形成される。なお、楕円形等他の形状でもよい。収容部１０ｃは、図示のように、深くなるにつれて、幅が一旦大きくなるように拡幅してから、幅が小さくなるように縮幅する形状でもよい。
【００７６】
縁部１１ｃには、飲み口部１４ｃが設けられる。飲み口部１４ｃは、前述飲み口部１４ａと同様であり、ここでは説明を省略する。ここでは、例えば、３つの飲み口部１４ｃが設けられる。
【００７７】
胴部１２ｃは、平面視略円形状である。胴部１２ｃには、飲み口部１４ｃと対応して、これと同数の流導部１７ｃが設けられる。
【００７８】
流導部１７ｃは、飲み物が胴部１２から飲み口部１４ｃへ流れる流路となる部分である。一例として、流導部１７ｃは、最大外周部１２１ｃより上方の位置から、飲み口部１４ｃに向かって漸次拡幅する形状である。
【００７９】
取っ手４０ｃは、収容部１０ｃの胴部１２ｃに設けられる。また、飲用容器１００ｃでは、収容部１０ｃの底部１３ｃが載置端となるため、底部１３ｃは水平方向でやや広い面積を占めるように形成され、例えば、前述の台座部と水平方向で略同等の面積を占めるように形成される。なお、取っ手４０ｃは、１つ設けられた例が図示されているが、対称位置に２つ設けられてもよい。
【００８０】
飲用容器１００ｃは、縁部１１ｃが広く形成されても、さらに流導部１７ｃを有するため、飲み物が飲み口部１４ｃに導かれやすくなり、さらに飲みやすくなる。
【００８１】
なお、飲用容器は、例えば、収容部の内側に湾曲した溝を付けることで縁部の強度を高め、成形時の撓みを抑制することができる。
【００８２】
＜変形例４＞
図１１〜図１２は変形例４に係る飲用容器の一例である飲用容器１００ｄを示す図で、図１０は正面図、図１１は平面図である。飲用容器１００ｄは、収容部１０ｄと、脚部２０ｄと、台座部３０ｄとを含む。収容部１０ｄは、縁部１１ｄと、胴部１２ｄと、底部１３ｄとを含む。縁部１１ｄは、平面視略真円形状である。
【００８３】
胴部１２ｄには、装飾が施されている。一例として、図示のように、花びら形状の第１装飾部１２２ｄと、萼形状の第２装飾部１２３ｄを胴部１２ｄの外周面に施して、バラの花のつぼみのような形状としてもよい。このように、胴部の一部、胴部全体、又は飲用容器全体に装飾を施してもよい。
【００８４】
＜変形例５＞
図１３は、変形例５に係る飲用容器の一例である飲用容器１００ｅを示す図である。飲用容器１００ｅは、収容部１０ｅと、脚部２０ｅと、台座部３０ｅとを含む。収容部１０ｅは、縁部１１ｅと、胴部１２ｅと、底部１３ｅとを含む。
【００８５】
飲用容器１００ｅは、図示のように、正面視において、上端（開口端）が水平方向に対して傾斜している。このように構成して、高い位置にあるＦ部を飲み口部１４ｅとすることができる。なお、ここでは、上端が全体として傾斜しているが、上端の一部のみが傾斜する構成としてもよい。
【００８６】
＜変形例６＞
図１５〜図１７は変形例６に係る飲用容器の一例である飲用容器１００ｆを示す図である。図１５は正面及び縦断面を示す図、図１６は平面図、図１７は図１５のＰ部の拡大図である。
【００８７】
飲用容器１００ｆは、収容部１０ｆと、脚部２０ｆと、台座部３０ｆとを含む点、収容部１０ｆの縁部１１ｆの横幅及び奥行き幅ないし直径が１１０ｍｍ以上である点などは、前述の飲用容器と同様である。以下では、前述例と異なる点を主として説明する。
【００８８】
収容部１０ｆは、胴部１２ｆが縁部１１ｆに向かって幅が大きくなるように拡幅する形状で、縁部１１ｆが胴部１２ｆよりも幅が大きく形成される。
【００８９】
縁部１１ｆは、全周に亘って外側に反るように広がる開き部１０１ｆを有する。開き部１０１ｆの開き幅、言い換えれば、開き部１０１ｆが外周全周に亘って外側に広がる幅ｄ１は、例えば２ｍｍ〜２５ｍｍで、好ましくは３ｍｍ〜１５ｍｍである。
【００９０】
開き部１０１ｆは、縦断面視において円弧形状である。開き部１０１ｆの円弧形状の曲率半径Ｒ１は、例えば１０ｍｍ〜７０ｍｍで、好ましくは２０ｍｍ〜５０ｍｍである。
【００９１】
また、縁部１１ｆの厚みｔ１は、例えば１ｍｍ〜５ｍｍで、好ましくは１．５ｍｍ〜３．５ｍｍである。
【００９２】
飲用容器１００ｆは、縁部１１ｆに開き部１０１ｆを有することで、より芳醇な飲み物の香りを楽しめる。例えば、飲み物がワインである場合、ワインを空気（酸素）と接触させて本来の香りや味わいを開かせる「ワインの開花」と言われる過程、この開花させた香りを放出する過程が、飲用容器１００ｆを用いれば容易に行える。すなわち、図１５に示すように、飲用容器１００ｆに注がれたワインは、矢印Ｇのようにワインの開花が行われ、その香りは矢印Ｈのように、開き部１０１ｆを有することで広がって放出される。
【００９３】
また、飲用容器１００ｆは、通常の飲用容器と異なって縁部の幅が大きいため、樹脂材料で成型すると、縁部がゆがみやすくなるが、外側に反る開き部１０１ｆを設けることで、このような縁部のゆがみを防止できる。
【００９４】
また、開き部１０１ｆは、飲み物の流れが滑らかになるため、飲み物が飲みやすくなる。
【００９５】
図１８は図１５の飲用容器の一部変形例である。飲用容器１００ｆは、リング部１０２ｆを有してもよい。
【００９６】
リング部１０２ｆ、胴部１２ｆに設けられ、より具体的には、胴部１２ｆの縁部１１ｆに近接の位置に設けられる。あるいは、縁部１１ｆの開き部１０１ｆの下方に設けられる。リング部１０２ｆは、周方向にリング状に突出するものである。より具体的には、周方向の外側に突出して、正面視帯状、平面視リング状に形成される。リング部１０２ｆの内壁面からの突出度合ｔ２は、特に限定しないが、飲み物の流れに影響がない、飲み物の溜まりを作らない程度がよい。また、リング部１０２ｆの壁厚は、他の部分と同様でもよいし、厚くてもよい。
【００９７】
飲用容器１００ｆは、通常の飲用容器と異なって縁部の幅が大きいため、樹脂材料で成型すると、縁部がゆがみやすくなるが、胴部の縁部に近接位置にリング部を設けることで、このような縁部のゆがみを防止できる。
【００９８】
図１９は図１５の飲用容器の一部変形例である。飲用容器１００ｆは、リブ１０３ｆを有してもよい。
【００９９】
リブ１０３ｆ、縁部１１ｆに設けられ、開き部１０１ｆを有する場合は、図示のように開き部１０１ｆに設けられてもよい。一例として、リブ１０３ｆは、縁部１１ｆの開口を周方向の外側で囲うように外壁から肉厚に盛り上がって形成される。リブ１０３ｆを有することで、縁部１１ｆの開口の厚みは、ｔ１からｔ３に増加する。ｔ３は、例えば、ｔ１の１．２倍〜５倍である。
【０１００】
リブ１０３ｆは、縁部１１ｆの外壁との間にＲ面が形成されてもよい。図示ように、リブ１０３ｆと、縁部１１ｆ（開き部１０１ｆを有する場合は開き部１０１ｆ）の外壁との間の接続面がＲ面に形成されてもよい。曲率半径Ｒ３は、例えば０．５ｍｍ〜３ｍｍで、好ましくは０．５ｍｍ〜１ｍｍである。
【０１０１】
飲用容器１００ｆは、通常の飲用容器と異なって縁部の幅が大きいため、樹脂材料で成型すると、縁部がゆがみやすくなるが、縁部にリブを設けることで、このような縁部のゆがみを防止できる。
【０１０２】
＜変形例７＞
図２０〜図２１は変形例７に係る飲用容器の一例である飲用容器１００ｈを示す図である。図２０は平面図、正面及び縦断面を示す図、図２１は底面図である。
【０１０３】
飲用容器１００ｈは、収容部１０ｈと、脚部２０ｈと、台座部３０ｈとを含む点、収容部１０ｈの縁部１１ｈの横幅Ｗ１及び奥行き幅Ｗ２が１１０ｍｍ以上である点などは、前述の飲用容器と同様である。また、縁部１１ｈに開き部１０１ｈを有する点は前述飲用容器１００ｆと同様である。以下では、前述例と異なる点を主として説明する。
【０１０４】
収容部１０ｈは、全体として、平面視略四角形状に形成される。収容部１０ｈは、好ましくは、図示のように略正方形である。また、収容部１０ｈは、全体として丸みを帯びる形状である。収容部１０ｈの四角形状の角部の丸みの半径ｒ１は、例えば内側で２３ｍｍ〜１００ｍｍであり、好ましくは、３０〜１００ｍｍである。収容部１０ｈの四角形状の辺部の丸みの半径ｒ１１は、角部の丸みの半径より大きく、例えば内側で１１０ｍｍ〜３００ｍｍであり、好ましくは、１２０〜２６０ｍｍである。角部及び辺部は、流路及び飲み口部としても機能する。
【０１０５】
収容部１０ｈは、角部を飲み口部（第１飲み口部）とする場合と、辺部を飲み口部（第２飲み口部）とする場合とでは、飲み物の味わいが異なるため、飲用容器１００ｈは、飲み口部を変えることで同じ飲み物でも異なる味わいを楽しめる。
【０１０６】
なお、収容部１０ｈは、全体として、五角形状や六角形状としてもよいが、この場合は、角部と辺部の丸みの大きさの違いを出しにくく、飲み口部に差を付けることが難しいため、味の違いが出にくくなる。
【０１０７】
図１４に示すように、人の顔における目や鼻、口の配置を参照すると、四角形状のほうが、これらの器官をより小さい面積で覆うことが分かる。言い換えれば、図２０に示す対角線Ｗ６が実質的に横幅ないし奥行き幅となる。目や鼻、口は、飲み物を楽しむ最も重要な器官であり、飲用容器１００ｈは縁部１１ｈを四角形状とすることで、効率よくこれらの器官を覆い、飲み物を楽しめる。
【０１０８】
収容部１０ｈは、一例として、胴部１２ｈが縁部１１ｈに向かって幅が大きくなるように拡幅する形状で、縁部１１ｈが胴部１２ｈよりも幅が大きく形成される。
【０１０９】
図２１に示すように、台座部３０は、一例として底面視略円形である。角部が飲み口部となる場合もあるため、円形のほうが使いやすい。台座部３０ｈは、飲用容器１００ｈ全体の安定度を保つため、直径が、飲用容器１００の全体の高さ（Ｙ方向の全長）の２／５以上、より好ましくは１／２以上に形成される。
【０１１０】
なお、飲用容器１００ｈは、縁部１１ｈの横幅Ｗ１及び奥行き幅Ｗ２が１１０ｍｍ未満でもよい。例えば、鼻と口のみを覆う大きさとしてもよい。この場合も、円形よりも四角形状のほうが、より小さい面積で鼻と口を覆うことができる。
【０１１１】
また、この場合は、縁部の幅が大きくなく、縁部のゆがみも低減するため、前述の開き部を設けなくてもよい。
【０１１２】
ワイングラス等の飲用容器は、通常ガラス製で、収容部が円形に形成される。飲用容器１００ｈは、プラスチック樹脂、より好ましくは有機ガラスで形成することで、収容部全体を四角形状に形成でき、飲み物自体をより楽しめる。
【０１１３】
＜変形例８＞
図２２〜図２３は変形例８に係る飲用容器の一例である飲用容器１００ｉを示す図である。図２２は平面図、正面及び縦断面を示す図、図２１は底面図である。飲用容器１００ｉは、収容部１０ｉと、台座部３０ｉが前述飲用容器１００ｈと異なる。以下では、飲用容器１００ｈと異なる点を主として説明する。
【０１１４】
収容部１０ｉは、一例として、胴部１２ｉが最大外周部１２１ｉから縁部１１ｈに向かって幅が小さくなるように縮幅する形状である。また、縁部１１ｉが開き部１０１ｉを有し、胴部１２ｉの最大外周部１２１ｉが縁部１１ｉの上端（開口）と同じ大きさ（同大）に形成される。
【０１１５】
また、図２１に示すように、台座部３０は、一例として底面視収容部１０ｉと同形状の四角形状である。
【０１１６】
＜変形例９＞
図２４〜図２７は変形例９に係る飲用容器の一例である飲用容器１００ｇを示す図である。図２４は平面図、正面及び縦断面を示す図、図２５は底面図、図２６は図２４のＰ部の拡大図、図２７は斜視図である。
【０１１７】
飲用容器１００ｇは、収容部１０ｇと、脚部２０ｇと、台座部３０ｇとを含む点、収容部１０ｇの縁部１１ｇの横幅及び奥行き幅が１１０ｍｍ以上である点などは、前述の飲用容器と同様である。すなわち、前述の飲用容器と同様に、縁部が飲用者の両目尻の間の間隔より広い横幅と、飲用者の下唇の上端から上睫毛までの間隔より広い奥行幅を有する。
【０１１８】
収容部１０ｇの胴部１２ｇは、正面視において、図示のように長軸Ｉが水平方向にある略楕円球状に形成される（図示の破線を参照）。言い換えれば、上部が開放した楕円体形状で、香り開花部として機能する。長軸Ｉの長さは、縁部１１ｇの幅よりも大きい。胴部１２ｇは、平面視において、長軸Ｉを直径とする円形状をなしている。胴部１２ｇは、より広く、より対流しやすい空間を提供するため、ワインの開花に好適である。
【０１１９】
一方、収容部１０ｇの縁部１１ｇは、上方に延びる筒状に形成される。縁部１１ｇは全周に亘って外側に反るように広がる開き部１０１ｇを有する。開き部１０１ｇは前述開き部１０１ｆと同様であるため、詳細な説明を省略する。開き部１０１ｇで香りの放出口が広められるため、香りが開き部１０１ｇの形状に沿って広く放出される。
【０１２０】
縁部１１ｇは、胴部１２ｇが円形であるにも係らず、平面視三角形状であり、好ましくは、図示のように全体として丸みを有する三角形状である。なお、前述例と同様に、辺部の丸みの半径は、角部の丸みの半径より大きい。図１４に示すように、飲み物を楽しむ器官である目や鼻、口は、三角形状に分布されている。そうすると、三角形状の縁部１１ｇは、他の形状よりも効率よく例えば目、鼻、口を覆い、視覚、臭覚及び味覚全体で飲み物を楽しめるようになる。香り、アルコールは、目の粘膜にも刺激を与えるので、縁部を三角形状として無駄なく香りを放出させることで、一層飲み物を楽しめるようになる。また、三角形状の角部を飲み口部（第１飲み口部）とすることで、縁部１１ｇは飲み物を楽しむ器官に効率よくアクセスできる。
【０１２１】
なお、縁部１１ｇは、辺部を飲み口部（第２飲み口部）としても、三角形状の頂点付近が鼻上に被さることで香りをより一層高めて飲み物を味わうことが出来る。
【０１２２】
また、図６で示すように、内部の液体の流れを見つめることで、目線がグラス内の液体に向けることになり、視線が液体に注がれる。また、図３で示すように、この状態で外界を見ようとすると、目線がすべてグラスの中から、グラスを介して外を見ることになる。これらのことから、今までの、外界を見る世界感とは異なった別世界感が生まれる。さらに、液体の流れを注視する行為として、両目で焦点を合わせ斜め下側で見ることにより神経が集中する。神経の集中を行うことでリラックス効果も高まると言われている。ヨガの浄化法の一種に「１点凝視法」と言うものがある。１点をじっと見つめる瞑想法のことである。１点に集中することで、疲れ目やイライラを解消したり、身体をリラックスさせたりする効果がある。見つめるものとして、例えば、「壁や」「ゆらゆら揺れるキャンドルの炎」などがある。例えば、赤ワインをゆったりと、凝視しながら見つめることで、同じ様な効果が期待できる。また、集中力を高めるための呼吸法に、鼻先に意識を向ける方法がある。液体を見つめる方向が丁度（鼻先を見つめる）そのような位置に向く。さらに、液体を飲む音が、グラス内部で反射し、グラスの出口からちょうど耳側に音が届く形状となり、より一層別世界感が高まる。これらのことから、例えばワインを、口（味）、鼻（香り）、目（外界）、肌（湿気、アルコール）、耳（音）の五感で味わうことが出来ると言える。
【０１２３】
図２６に示すように、開き部１０１ｇの下方に隣接する隣接部１０４ｇは、外側に反るように形成される。図示のように、隣接部１０４ｇは、縦断面視において開き部１０１ｇより曲率半径Ｒ２が大きい円弧形状である。そのため、ここで収容部は、縁部に向かって楕円形状に締まる傾向にあった胴部が、隣接部１０４ｇにおいて徐々に空間を開いてゆき、これに次いで縁部において開き部１０１ｇでさらに開くようになる。隣接部１０４ｇは胴部１２ｇの縁部１１ｇに隣接する部分であってもよいし、縁部１１ｇの胴部１２ｇに隣接する部分であってもよい。
【０１２４】
図２４、図２７に示すように、飲用容器１００ｇは、収容部１０ｇにおいて、胴部１２ｇが正面視略楕円形状に形成されて広く、対流しやすい空間を形成して、矢印Ｇのようにワインを開花させる一方、縁部１１ｇに開き部を設け、三角形状に形成して、矢印Ｈのように香りを放出し、無駄なく広めることで、より芳醇な味わいを楽しめる。
【０１２５】
また、例えば赤ワインを飲むとき、澱（おり）を除くため、ワインを静かにデカンタに移すことがある。空気に触れさせ、ワインの芳香を高めるためにもこのデキャンタージュが行われる。胴部が広い本発明の飲食容器は、これらの効果が期待できる。また、日本酒も表面積の大きい片口にいったん受けてから盃に移すとマイルドな口当たりの酒になると言われている。本発明の飲食容器はこれらの効果が期待できる。
【０１２６】
図２６に示すように、縁部１１ｇには、前述のリブ１０３ｆと同様のリブ１０３ｇが設けられてもよい。リブ１０３ｇを有することで、縁部１１ｇが大きい飲用容器１００ｇでも、樹脂材料による成形において縁部のゆがみを回避できる。
【０１２７】
特に、飲用容器１００ｇは、回転による口切りが難しいため、縁部１１ｇを三角形状に形成することが難しいが、プリフォーム成形時の口部の段差を残して、ブロー成形において、口切りをせず、段差を残して縁部１１ｇの最終形状とすることでこれを回避できる。
【０１２８】
飲用容器１００ｇは、胴部１２ｇ、または胴部１２から縁部１１ｇにかけて、装飾が施されてもよい。一例として、図示のように、花弁形状の第１装飾部１２２ｇと、萼形状の第２装飾部１２３ｇを施して、バラの花のつぼみのような形状としてもよい。
【０１２９】
第１装飾部１２２ｇは、一例として、外側に花弁状に膨らんで、外壁面に浮き上がって見える。第１装飾部１２２ｇは、厚みが他の部分より厚くなっていることで外側に膨らむ形状でもよい。好ましくは、内壁面が凹入し、外壁面が凸出する形で壁部が凸出して、外側に膨らむ形状である。
【０１３０】
第２装飾部１２３ｇは、一例として、図２５に示すように、底面視略五角形状である。
【０１３１】
飲用容器１００ｇは、このような装飾を施すことで、意匠性が高まる。また、胴部１２ｇに装飾を施して、緩やかな凹凸を設けることで、例えば、ワインのスワリングの際等にワインの流れを作ったり、変えたりすることができる。
【０１３２】
脚部２０ｇの長さＬ１は、指が入る高さで、例えば１５ｍｍ〜１１０ｍｍで、好ましくは２０ｍｍ〜９０ｍｍである。
【０１３３】
なお、飲用容器１００ｇは、縁部１１ｇの横幅及び奥行き幅が１１０ｍｍ未満でもよい。例えば、鼻と口のみを覆う大きさとしてもよい。この場合も、円形よりも三角形状のほうが、より小さい面積で鼻と口を覆うことができる。
【０１３４】
また、この場合は、縁部の幅が大きくなく、縁部のゆがみも低減するため、前述の開き部を設けなくてもよい。
【０１３５】
ワイングラス等の飲用容器は、通常ガラス製で、収容部が円形に形成される。飲用容器１００ｇは、プラスチック樹脂、より好ましくは有機ガラスで形成することで、胴部を平面視円形に、縁部を平面視三角形に形成でき、飲み物自体をより楽しめる。
【０１３６】
なお、前述の飲用容器は、胴部が平面視円形で、縁部が平面視四角形でもよい。
【０１３７】
また、前述の飲用容器は、縁部及び胴部の一方又は双方が、一部が内側に凹む形状で、例えば内側に曲線状に凹むものでもよい。また、縁部に開き部を有する場合は、開き部の一部が内側に凹む形状でもよい。
【０１３８】
また、前述の飲用容器は、飲み物用のみならず、スープ用容器としてもよい。また、固形の食べ物を入れる食器としてもよい。
【０１３９】
以上、本発明に係る飲用容器の実施形態について説明したが、これらは本発明の一例に過ぎず、本発明はこれらに限定されるものではない。本発明には、以上の各実施形態やその変形例を組み合わせた形態や、さらに様々な変形例が含まれる。請求の範囲に規定された内容及びその均等物から導き出される本発明の概念的な思想と趣旨を逸脱しない範囲で種々の追加、変更及び部分的削除が可能である。
【符号の説明】
【０１４０】
１００、１００ａ、１００ｂ、１００ｃ、１００ｄ、１００ｅ、１００ｆ、１００ｇ、１００ｈ、１００ｉ  飲用容器
１０、１０ａ、１０ｂ、１０ｃ、１０ｄ、１０ｅ、１０ｆ、１０ｇ、１０ｈ、１０ｉ    収容部
１１、１１ａ、１１ｂ、１１ｃ、１１ｄ、１１ｅ、１１ｆ、１１ｇ、１１ｈ、１１ｉ    縁部
１２、１２ａ、１２ｂ、１２ｃ、１２ｄ、１２ｅ、１２ｆ、１２ｇ、１２ｈ、１２ｉ    胴部
１３、１３ａ、１３ｂ、１３ｃ、１３ｄ、１３ｅ    底部
１４ａ、１４ｃ、１４ｅ                          飲み口部
１５、１５ｂ                                    角部（飲み口部）
１７ｃ                                          流導部
２０、２０ａ、２０ｂ、２０ｄ、２０ｅ            脚部
３０、３０ａ、３０ｂ、３０ｄ、３０ｅ            台座部
４０ｃ                                          取っ手
１０１ｆ、１０１ｇ、１０１ｈ、１０１ｉ          開き部
１０２ｆ                                        リング部
１０３ｆ                                        リブ
１２２ｇ                                        第１装飾部
１２３ｇ                                        第２装飾部
【図１】
2020142053.tif 000003
【図２】
2020142053.tif 000004
【図３】
2020142053.tif 000005
【図４】
2020142053.tif 000006
【図５】
2020142053.tif 000007
【図６】
2020142053.tif 000008
【図７】
2020142053.tif 000009
【図８】
2020142053.tif 000010
【図９】
2020142053.tif 000011
【図１０】
2020142053.tif 000012
【図１１】
2020142053.tif 000013
【図１２】
2020142053.tif 000014
【図１３】
2020142053.tif 000015
【図１４】
2020142053.tif 000016
【図１５】
2020142053.tif 000017
【図１６】
2020142053.tif 000018
【図１７】
2020142053.tif 000019
【図１８】
2020142053.tif 000020
【図１９】
2020142053.tif 000021
【図２０】
2020142053.tif 000022
【図２１】
2020142053.tif 000023
【図２２】
2020142053.tif 000024
【図２３】
2020142053.tif 000025
【図２４】
2020142053.tif 000026
【図２５】
2020142053.tif 000027
【図２６】
2020142053.tif 000028
【図２７】
2020142053.tif 000029
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
飲用者が飲み物を飲用するための飲用容器であって、
飲み物を収容する収容部を含み、
前記収容部は、開口端の開口の周囲部分である縁部と、閉塞端を構成する底部と、前記縁部と前記底部との間の胴部とを含み、
前記縁部は、横幅及び奥行幅が１１０ｍｍ以上であり、
前記飲用容器は、透明な樹脂の有機ガラスで形成され、
前記縁部は、全周に亘って外側に反るように広がる開き部であってゆがみを防止するための開き部を有する
ことを特徴とする飲用容器。
【請求項２】
請求項１に記載の飲用容器であって、
前記開き部は、縦断面視において円弧形状である
ことを特徴とする飲用容器。
【請求項３】
請求項１または２に記載の飲用容器であって、
前記縁部は、周方向に肉厚に盛り上がるリブを有する
ことを特徴とする飲用容器。
【請求項４】
請求項３に記載の飲用容器であって、
前記リブと前記縁部の外壁との間にＲ面が形成されている
ことを特徴とする飲用容器。
【請求項５】
請求項１〜４のいずれか一項に記載の飲用容器であって、
前記胴部は、前記縁部に近接の位置に周方向にリング状に突出するリング部を有する
ことを特徴とする飲用容器。
【請求項６】
請求項１〜５のいずれか一項に記載の飲用容器であって、
前記胴部は、水平方向に前記縁部より広い部分を有する
ことを特徴とする飲用容器。
【請求項７】
請求項６に記載の飲用容器であって、
前記開き部の下方に隣接する隣接部は、外側に反るように形成され、
前記隣接部は、縦断面視において前記開き部より曲率半径が大きい円弧形状である
ことを特徴とする飲用容器。
【請求項８】
請求項１〜７のいずれか一項に記載の飲用容器であって、
前記縁部は、平面視において丸みを有する三角形状又は四角形状であり、
前記三角形状又は四角形状の辺部の丸みの半径が、角部の丸みの半径より大きい
ことを特徴とする飲用容器。
【請求項９】
請求項８に記載の飲用容器であって、
前記胴部は、平面視において略円形状である
ことを特徴とする飲用容器。
【請求項１０】
飲用者が飲み物を飲用するための飲用容器であって、
飲み物を収容する収容部を含み、
前記収容部は、開口端の開口の周囲部分である縁部と、閉塞端を構成する底部と、前記縁部と前記底部との間の胴部とを含み、
前記飲用容器は、透明な樹脂の有機ガラスで形成され、
前記縁部は、平面視において丸みを有する三角形状であり、
前記三角形状の辺部の丸みの半径が、角部の丸みの半径より大きく、
前記胴部は、平面視において略円形状であり、水平方向に前記縁部より広い部分を有し、拡幅してから縮幅する形状である
ことを特徴とする飲用容器。
【請求項１１】
請求項１〜１０のいずれか一項に記載の飲用容器であって、
前記胴部は、花弁状に外側に膨らむ第１装飾部と、萼形状の第２装飾部とを有する
ことを特徴とする飲用容器。
【請求項１２】
請求項１〜１１のいずれか一項に記載の飲用容器であって、
横幅又は奥行幅が前記飲用容器の全体の高さの２分の１以上である台座部を含む
ことを特徴とする飲用容器。
【請求項１３】
請求項１〜１２のいずれか一項に記載の飲用容器であって、
前記飲用容器は、ワイン、日本酒を飲用するための容器である
ことを特徴とする飲用容器。